(57)【要約】【課題】作業者がカウンタウエイトの上面に乗降することなく、カウンタウエイトへの玉掛作業を行うことができるようにする。【解決手段】追加ウエイト２５および２５ａの側面には、上部ピン２６と最下部ピン２９または固定ウエイトピン３０およびリンク部材２７からなる吊り上げおよび固定のための吊り具部材１５が左右一対に備えられ、リンク部材２７は上部ピン２６と最下部ピン２９または固定ウエイトピン３０に突き通されている。リンク部材２７は上部ピン２６に沿って移動可能であり、上部ピン２６を中心に回動可能である。【選択図】図３
2016108141.tif 000002
【特許請求の範囲】
【請求項１】
下部走行体上に旋回自在に搭載された上部旋回体と、前記上部旋回体の後部に設けられたカウンタウエイト取付部と、前記カウンタウエイト取付部の最前部に設置される固定ウエイトと、前記固定ウエイトの後方に複数の追加ウエイトを前後方向に積層して構成されるカウンタウエイト装置において、
前記追加ウエイトは、前記追加ウエイト側面に吊り上げのための吊り具部材を左右一対に備え、
前記吊り具部材は、上部ピンと下部ピンおよびリンク部材とを有し、
前記上部ピンは、前記追加ウエイト側面の上部に水平に突出するように設置され、
前記下部ピンは、前記上部ピンの直下において前記追加ウエイト側面から水平に突出するように設置され、前記追加ウエイト側面から突出する状態と突出しない状態とを変更する切替手段を有し、
前記リンク部材は、長尺状の形状であり長手方向に連続した一定幅の貫通溝が形成され、また前記貫通溝の延長上に係合孔が形成され、
前記貫通溝に前記上部ピンのみが突き通された状態で前記リンク部材は、前記上部ピンに沿って移動および前記上部ピンを中心に回動可能であり、また前記上部ピンと前記上部ピンの直下に位置する前記下部ピンは前記貫通溝を同時に突き通し可能であり、
前記上部ピンおよび前記下部ピンの前記追加ウエイト側面から離れた端部には、
前記リンク部材が前記追加ウエイト側面から離れる方向に移動しないようにする抜止構造を設けることを特徴とする作業機械のカウンタウエイト装置。
【請求項２】
前記追加ウエイトは、前記追加ウエイト側面の前記下部ピンの下に水平に突出するように前記切替手段を有する最下部ピンを左右一対に有し、
前記固定ウエイトは、前記固定ウエイト側面に前記最下部ピンと同じ高さで水平に突出するように前記切替手段を有する固定ウエイトピンを左右一対に有し、
前記リンク部材は、前記貫通溝に前記上部ピンが突き通された状態で、直前に位置する前記追加ウエイトの前記最下部ピンまたは直前に位置する前記固定ウエイトの前記固定ウエイトピンを前記貫通溝または前記係合孔に突き通されることを特徴とする請求項１に記載の作業機械のカウンタウエイト装置。
【請求項３】
前記最下部ピンまたは前記固定ウエイトピンは、前記貫通溝の端部に前記上部ピンが位置した状態で、前記貫通溝の前記上部ピンから離れた端部または前記上部ピンから離れた前記係合孔に突き通されることを特徴とする請求項２に記載の作業機械のカウンタウエイト装置。
【請求項４】
前記切替手段は、前記下部ピンおよび前記最下部ピンまたは前記固定ウエイトピンを、前記追加ウエイト側面または前記固定ウエイト側面に対して着脱可能とすることを特徴とする請求項２または請求項３に記載の作業機械のカウンタウエイト装置。
【請求項５】
前記抜止構造は、前記上部ピンおよび前記下部ピンまたは前記最下部ピンの前記追加ウエイト側面または前記固定ウエイト側面から離れた端部のピン径を前記係合孔よりも大きく形成したものであることを特徴とする請求項１〜４いずれかに記載の作業機械のカウンタウエイト装置。
【請求項６】
前記リンク部材は、前記貫通溝に前記上部ピンと前記下部ピンとが同時に突き通された状態で前記係合孔が前記追加ウエイト上面の上方に位置し得ることを特徴とする請求項１〜５に記載の作業機械のカウンタウエイト装置。
【請求項７】
前記係合孔は、前記貫通溝と不連続に形成されることを特徴とする請求項１〜６いずれかに記載の作業機械のカウンタウエイト装置。
【請求項８】
前記カウンタウエイト取付部は、最後部以外はすべて同一の前記追加ウエイトが積層されることを特徴とする請求項１〜８いずれかに記載のカウンタウエイト装置。
【請求項９】
前記カウンタウエイト装置は、前記追加ウエイトの上端と下端の中間より低い位置にボルト挿し込み孔が形成され、最後部に位置する前記追加ウエイトから前記固定ウエイトに達するボルトが挿し込まれ、積層される前記追加ウエイトがすべて前記固定ウエイトに固定されることを特徴とする請求項２に記載の作業機械のカウンタウエイト装置。
【請求項１０】
前記上部ピンは、前記追加ウエイト側面に近接する端部のピン径が前記係合孔よりも大きく形成され、前記リンク部材と前記追加ウエイトとの間に間隔を確保されることを特徴とする請求項１〜９いずれかに記載の作業機械のカウンタウエイト装置。
【請求項１１】
前記下部ピンは、前記最下部ピンおよび前記固定ウエイトピンと同一であることを特徴とする請求項１〜１０いずれかに記載の作業機械のカウンタウエイト装置。
【発明の詳細な説明】
【技術分野】
【０００１】
本発明は、作業機械に搭載されるカウンタウエイト装置に関するものである。
【背景技術】
【０００２】
クレーンやショベルなどの作業機械は、作業時の重量バランスをとるため上部旋回体後部にカウンタウエイトが装着される。
【０００３】
このカウンタウエイト分割することにより、吊り上げる一つ一つの重さを低減できるものとして特許文献１が提案されている。
【０００４】
特許文献１のカウンタウエイトは、上部旋回体後部に前後方向に積層される複数のウエイトから構成され、このウエイトの前後方向に貫通する孔にボルト通すことに取り付けられている。
【先行技術文献】
【特許文献】
【０００５】
【特許文献１】特許第３２４５７０９号
【発明の概要】
【発明が解決しようとする課題】
【０００６】
特許文献１に示すような作業機械へのカウンタウエイトの搭載時に、地上からカウンタウエイト上面までの高さが高くなり、カウンタウエイト上面の吊環に手が届かないことから、作業者自身がカウンタウエイトの上面に乗って玉掛け作業を行う必要があり、作業性が悪くなっていた。
【０００７】
本発明は、上記の観点からなされたもので、その目的は作業者がカウンタウエイトの上面に乗降することなく、玉掛け作業を行うことができるカウンタウエイト装置を提供することである。
【課題を解決するための手段】
【０００８】
本発明は、下部走行体上に旋回自在に搭載された上部旋回体と、前記上部旋回体の後部に設けられたカウンタウエイト取付部と、前記カウンタウエイト取付部の最前部に設置される固定ウエイトと、前記固定ウエイトの後方に複数の追加ウエイトを前後方向に積層して構成されるカウンタウエイト装置において、
前記追加ウエイトは、前記追加ウエイト側面に吊り上げのための吊り具部材を左右一対に備え、
前記吊り具部材は、上部ピンと下部ピンおよびリンク部材とを有し、
前記上部ピンは、前記追加ウエイト側面の上部に水平に突出するように設置され、
前記下部ピンは、前記上部ピンの直下において前記追加ウエイト側面から水平に突出するように設置され、前記追加ウエイト側面から突出する状態と突出しない状態とを変更する切替手段を有し、
前記リンク部材は、長尺状の形状であり長手方向に連続した一定幅の貫通溝が形成され、また前記貫通溝の延長上に係合孔が形成され、前記貫通溝に前記上部ピンのみが突き通された状態で前記リンク部材は、前記上部ピンに沿って移動および前記上部ピンを中心に回動可能であり、また前記上部ピンと前記上部ピンの直下に位置する前記下部ピンは前記貫通溝に同時に突き通し可能であり、
前記上部ピンおよび前記下部ピンの前記追加ウエイト側面から離れた端部には、前記リンク部材が前記追加ウエイト側面から離れる方向に移動しないようにする抜止構造を設けている。
【０００９】
上記の追加ウエイトは、前記リンク部材の前記貫通溝に前記上部ピンと前記下部ピンとを突き通し、前記係合孔にワイヤロープを係合させることにより安定的に吊り上げることができる。
【００１０】
また、上記の追加ウエイトを前記カウンタウエイト取付部に搭載した場合には、前記下部ピンを突出しない状態に切り替え、上記のリンク部材を前記上部ピンに沿って移動および前記上部ピンを中心に回動させることにより前記係合孔の高さを作業者の手の届く位置にすることができ、前記係合孔にワイヤロープを着脱する作業を地上で行うことができる。
【００１１】
本発明において、前記追加ウエイトは、前記追加ウエイト側面の前記下部ピンの下に水平に突出するように前記切替手段を有する最下部ピンを左右一対に有し、
前記固定ウエイトは、前記固定ウエイト側面に前記最下部ピンと同じ高さで水平に突出するように前記切替手段を有する固定ウエイトピンを左右一対に有し、
前記リンク部材は、前記貫通溝の端部に前記上部ピンが位置する状態で、前記貫通溝の前記上部ピンから離れた端部または前記上部ピンから離れた前記係合孔を直前に位置する前記追加ウエイトの前記最下部ピンまたは直前に位置する前記固定ウエイトの前記固定ウエイトピンに突き通される。
【００１２】
上記のリンク部材は、前記追加ウエイトを前記カウンタウエイト取付部に搭載した場合に、前記追加ウエイトの地上から手の届きにくい前記上部ピンと直前に位置する追加ウエイトの前記最下部ピンまたは直前に位置する固定ウエイトの固定ウエイトピンとを接続すると、前記上部ピンに突き通される前記貫通溝の遊びがないため、それぞれの追加ウエイトを前方に位置する追加ウエイトまたは前方に位置する固定ウエイトに固定可能であり、前記カウンタウエイト取付部に搭載した前記追加ウエイトが前後に積層された状態を維持することができる。
【００１３】
本発明において、前記切替手段は、前記下部ピンおよび前記最下部ピンまたは前記固定ウエイトピンを、前記追加ウエイト側面または前記固定ウエイト側面に対して着脱可能としている。
【００１４】
上記の切替手段により、前記下部ピンおよび前記最下部ピンまたは前記固定ウエイトピンの取付位置に前記貫通溝または前記係合孔を重ね合わせた状態でピンの着脱をすることができ、ピンの不使用時には取り外すことにより、干渉することがない。
【００１５】
本発明において、前記抜止構造は、前記上部ピンおよび前記下部ピンまたは前記最下部ピンの前記追加ウエイト側面または前記固定ウエイト側面から離れた端部のピン径を前記係合孔よりも大きく形成したものである。
【００１６】
上記の抜止構造は、前記リンク部材の前記貫通溝または前記係合孔が前記上部ピンおよび前記下部ピンまたは前記最下部ピンに突き通された状態で、前記リンク部材が追加ウエイトから離れないように作用する。
【００１７】
本発明において、前記リンク部材は、前記貫通溝に前記上部ピンと前記下部ピンとに同時に突き通され、前記係合孔が前記追加ウエイト上面の上方に位置し得る。
【００１８】
上記のリンク部材は、吊上げるワイヤロープを係合させる前記係合孔が前記追加ウエイト上面の上方に位置することにより、前記ワイヤロープが前記追加ウエイトと干渉しないようにすることができる。
【００１９】
本発明において、前記係合孔は、前記貫通溝と不連続に形成される。
【００２０】
上記の係合孔は、前記貫通溝と連続に形成されると、前記係合孔に係合させたワイヤロープが前記貫通溝に突き通されるピンに絡まる虞があるが、不連続に形成することによりピンに絡むことはなく安定した状態で係合させることができる。
【００２１】
本発明において、前記カウンタウエイト取付部は、最後部以外はすべて同一の前記追加ウエイトが積層される。
【００２２】
上記のカウンタウエイト取付部は、最後部以外は搭載する順番を入れ替えても同じように構成することができる。
【００２３】
本発明において、前記カウンタウエイト装置は、前記追加ウエイトの上端と下端の中間より低い位置にボルト挿し込み孔が形成され、最後部に位置する前記追加ウエイトから前記固定ウエイトに達するボルトが挿し込まれ、積層される前記追加ウエイトがすべて前記固定ウエイトに固定される。
【００２４】
上記のボルトは、前記追加ウエイトを前記カウンタウエイト取付部に搭載した場合に、前記カウンタウエイト取付部の作業者の手の届く位置に挿し込まれ、作業者が前記カウンタウエイト装置に乗降することなく前記追加ウエイトを前記固定ウエイトに固定することができる。
【００２５】
本発明において、前記上部ピンは、前記追加ウエイト側面に近接する端部のピン径が前記係合孔よりも大きく形成され、前記リンク部材と前記追加ウエイトとの間に間隔が確保される。
【００２６】
上記の上部ピンは、前記追加ウエイト側面に近接する端部と離れた端部との間に前記リンク部材を挟み込むことができ、前記追加ウエイトと前記リンク部材との間に隙間を設けることにより前記リンク部材が回動する際に前記追加ウエイトに擦れて傷がつくのを防止することができる。
【００２７】
本発明において、前記下部ピンは、前記最下部ピンおよび前記固定ウエイトピンと同一である。
【００２８】
上記の下部ピンは、前記最下部ピンおよび前記固定ウエイトピンとして使用することができ、必要な部品の種類を減少させるとともに、上記いずれかのピンとして使用することにより保管場所を要しない。
【発明の効果】
【００２９】
本発明のカウンタウエイト装置は、ウエイトの側面に備えた吊り具部材を移動や回動させるだけで、作業者がカウンタウエイト装置の上面に乗降することなく、ウエイトへの玉掛け作業および搭載時のウエイトの固定を行うことができる。
【図面の簡単な説明】
【００３０】
【図１】本発明の実施形態に係る作業機械の側面図
【図２】本発明の実施形態に係る作業機械の平面図
【図３】カウンタウエイト装置の側面図
【図４】追加ウエイトの背面図
【図５】追加ウエイトの側面図
【図６】追加ウエイトを搭載しない状態のカウンタウエイト装置の側面図
【図７】上部ピンの断面図
【図８】リンク部材の可動域を示す追加ウエイトの側面図
【図９】追加ウエイトの玉掛作業を説明するカウンタウエイト取付部の側面図
【図１０】追加ウエイトの固定作業を説明するカウンタウエイト取付部の側面図
【図１１】追加ウエイトの固定作業を説明するカウンタウエイト取付部の側面図
【発明を実施するための形態】
【００３１】
以下、本発明の実施形態について図面を参照しながら述べる。
【００３２】
図１に示すように、作業機械１は、自走可能な下部走行体２の上に上部旋回体３が旋回可能に搭載されている。
【００３３】
上部旋回体３は、アッパーフレーム４と作業アタッチメント５、キャブ６、機械室７、カウンタウエイト装置８とを備える。
【００３４】
作業アタッチメント５は、アッパーフレーム４の前端部に備えられブーム９、アーム１０、バケット１１により構成される。
【００３５】
キャブ６は、アッパーフレーム４の左側前部に設置され内部に運転シートや各制御装置や操作機器等が装備された運転室である。
【００３６】
機械室７は、エンジンや油圧ポンプ等の駆動機器や燃料タンクなどが収納されている。
【００３７】
図２に示すように、カウンタウエイト取付部１４は、アッパーフレーム４の後部に設けられたカウンタウエイトを支持する支持梁により構成され、カウンタウエイト取付部１４の最前部には固定ウエイト２４が常時搭載される。
【００３８】
図３に示すように、カウンタウエイト装置８は、カウンタウエイト取付部１４上の最前部に設置される固定ウエイト２４と、固定ウエイト２４の後方に分解可能な複数の追加ウエイト２５および２５ａを前後方向に積層して搭載している。
【００３９】
追加ウエイト２５および２５ａの側面には、上部ピン２６と最下部ピン２９または固定ウエイトピン３０およびリンク部材２７からなる吊り上げおよび固定のための吊り具部材１５が左右一対に備えられ、リンク部材２７は上部ピン２６と最下部ピン２９または固定ウエイトピン３０に突き通されている。
【００４０】
最下部ピン２９の上には、下部ピン２８を装着するための下部ピン挿入孔２８ａがある。
【００４１】
図４は追加ウエイト２５が吊り上げられる状態を示す。なお、追加ウエイト２５ａも同様の構成である。
【００４２】
追加ウエイト２５を吊り上げる場合において、最下部ピン２９は抜かれ、下部ピン２８が挿し込まれる。
【００４３】
追加ウエイト２５の側面には、上部ピン２６と下部ピン２８およびリンク部材２７からなる吊り上げのための吊り具部材１５が左右一対に備えられ、上部ピン２６および下部ピン２８は水平に突出するように設置される。
【００４４】
追加ウエイト２５は、カウンタウエイト取付部１４への搭載時にカウンタウエイト取付部１４の形状に係合するように溝部３５が形成されている。
【００４５】
ボルト挿入孔４１および４２は、追加ウエイト２５をカウンタウエイト取付部１４に搭載した場合に作業者の手の届く高さに設けられ、最後部に位置する追加ウエイト３０から最前部に位置する固定ウエイト２４まで達するボルトが挿し込まれる。
【００４６】
図５は追加ウエイト２５の側面図である。リンク部材２７は、長尺状の形状であり長手方向に連続した一定幅の貫通溝２７ａを持ち、前記貫通溝の延長上に係合孔２７ｂが貫通溝２７ａと不連続に形成されている。
【００４７】
下部ピン２８は、上部ピン２６の直下の下部ピン挿入孔２８ａに着脱可能に設置され、貫通溝２７ａまたは係合孔２７ｂを突き通し可能であり、追加ウエイト２５の側面から離れた端部の径を係合孔２７ｂよりも大きくすることによりリンク部材２７が追加ウエイト２５の側面から離れる方向に移動しないようにする抜け止構造２８ｂを有する。
【００４８】
最下部ピン２９は、下部ピン挿入孔２８ａの直下の最下部ピン挿入孔２９ａに着脱可能に設置され、係合孔２７ｂを突き通し可能であり、追加ウエイト２５の側面から離れた端部の径を係合孔２７ｂよりも大きくすることによりリンク部材２７が追加ウエイト２５の側面から離れる方向に移動しないようにする抜け止構造２９ｂを有する。
【００４９】
下部ピン２８と最下部ピン２９のピン径は、必要な強度に応じてそれぞれ定められる。
【００５０】
下部ピン２８と最下部ピン２９のピン径を同一にしても強度に問題のない場合は、下部ピン２８と最下部ピン２９を同一のものとして利用することができ、必要な部品の種類を減少させることができる。
【００５１】
図３および図６より、固定ウエイトピン３０は、固定ウエイト２４の側面に最下部ピン２９と同じ高さに形成した固定ウエイトピン挿入孔３０ａに着脱可能に設置され、係合孔２７ｂを突き通し可能であり、固定ウエイト２４の側面から離れた端部の径を係合孔２７ｂよりも大きくすることによりリンク部材２７が固定ウエイト２４の側面から離れる方向に移動しないようにする抜け止構造３０ｂを有する。
【００５２】
強度に問題のない場合は、固定ウエイトピン３０を下部ピン２８と同一にしてもよく、必要な部品の種類を減少させることができる。
【００５３】
図７に示すように、上部ピン２６は追加ウエイト２５の側面から離れた端部の径を大きくすることによりリンク部材２７が追加ウエイト２５の側面から離れる方向に移動しないようにする抜止構造２６ｂと、追加ウエイト２５の側面に近接する端部のピン径を係合孔２７ｂよりも大きく構成した根本構造２６ｃとを有し、抜止構造２６ｂと根本構造２６ｃとによりリンク部材２７を挟み込んでいる。
【００５４】
根本構造２６ｃにより追加ウエイト２５とリンク部材２７との間に間隔を維持することができ、リンク部材２７が追加ウエイト２５に擦れて傷がつくことがない。
【００５５】
リンク部材２７は、下部ピン２８が挿入されていない状態では貫通溝２７ａを突き通す上部ピン２６に沿って移動が可能であり、例えば図４および図５に示す点線の位置まで上下動させることができる。
【００５６】
図８は、連続溝２７ａの端部に上部ピン２６が突き通した状態でリンク部材２７を上部ピン２６を中心に回動させたときの軌跡を点線で示したもので、リンク部材２７は範囲Ａはみ出すことなく上部ピン２６に沿って移動および上部ピン２６を中心に回動させることができる。
【００５７】
本実施の形態によるカウンタウエイト装置は上述のように構成を有するもので、次に、追加ウエイト２５の吊り上げ作業及び固定作業について説明する。
【００５８】
図９に示すように、追加ウエイト２５をクレーンなどで吊り上げるために、リンク部材２７の係合孔２７ｂが追加ウエイト２５の上面の上方に位置し貫通溝２７ａに上部ピン２６と下部ピン２８とが突き通された状態で、係合孔２７ｂに玉掛用のワイヤロープ４３を係合させる。
【００５９】
ワイヤロープ４３を引き上げると、リンク部材２７は貫通溝２７ａの下端が下部ピン３４に接触するまで引き上げられた後に、追加ウエイト２５が持ち上がる。
【００６０】
追加ウエイト２５は、ワイヤロープ４３により吊り上げられ、カウンタウエイト取付部１４上に降ろされる。
【００６１】
図４のように左右のワイヤロープ４３を上方で一本に束ねて吊り上げる場合において、吊り具部材１５の上部が互いに近づくような力が作用するが、抜止構造２６ｂと根本構造２６ｃによりリンク部材２７を挟み込んでいるため、リンク部材２７が追加ウエイト２５に接触することはない。
【００６２】
追加ウエイト２５の吊り上げ時において、下部ピン２８は追加ウエイト２５の荷重を支え、上部ピン２６は追加ウエイト２５の前後のふらつきを抑える。
【００６３】
以上のように、追加ウエイト２５はカウンタウエイト取付部１４上に搭載される。次に、追加ウエイト２５の固定作業について説明する。
【００６４】
図１０に示すように、搭載した追加ウエイト２５の下部ピン２８を取り外すことにより、リンク部材２７は上部ピン２６に沿って移動することができる。
【００６５】
リンク部材２７は、ワイヤロープ４３により引き上げられ、かつ後方に引っ張られる。
【００６６】
さらにリンク部材２７を上部ピン２６を中心に回動させると、図１１に示すように係合孔２７ｂが作業者の手の届く低位置にすることが出来る。
【００６７】
図１１に示す状態で、作業者はカウンタウエイト装置８の上面に乗降することなく係合孔２７ｂに係合するワイヤロープ４３を取り外すことが可能である。
【００６８】
さらに、ワイヤロープ４３を取り外したリンク部材２７を、上部ピン２６を中心として係合孔２７ｂが固定ウエイトピン挿入孔３０ａに重なる位置まで回動させる。
【００６９】
係合孔２７ｂと固定ウエイトピン取付部３０ａとを突き通して固定ウエイトピン３０を取り付けることにより、追加ウエイト２５を固定ウエイト２４に固定することができ、作業者の手の届きにくい追加ウエイト２５の上部が吊り具部材１５により固定される。
【００７０】
以上の手順を繰り返し、複数の追加ウエイト２５および追加ウエイト２５ａを搭載することにより、図３に示すように、カウンタウエイト取付部１４には前後方向に積層した追加ウエイト２５が搭載することができる。
【００７１】
追加ウエイト２５は、直前に位置する固定ウエイト２４または直前に位置する追加ウエイト２５に対して固定され、最後部に位置する追加ウエイト２５ａは直前に位置する追加ウエイト２５に対して固定される。
【００７２】
リンク部材２７は、貫通溝２７ａの端部に上部ピン２６が突き通された状態で、係合孔２７ｂに直前に位置する追加ウエイト２５の最下部ピン２９または直前に位置する固定ウエイト２４の固定ウエイトピン３０が突き通されることにより、追加ウエイト２５を直前に位置する追加ウエイト２５または直前に位置する固定ウエイト２４に対して固定される。
【００７３】
下部ピン２８、最下部ピン２９、固定ウエイトピン３０を同一のものとして利用する場合は、追加ウエイト２５、２５ａの搭載後に取り外した下部ピン２８をそのまま最下部ピン２９、固定ウエイトピン３０として利用することができ、下部ピン２８を倉庫などに運搬や保管する必要がないため作業性を高めることができる。
【００７４】
追加ウエイト２５は、最後部の追加ウエイト２５ａを除いて同一の形状にすることにより、順番を気にすることなく搭載することができ、追加ウエイト２５の分割数を増加させた場合にも同様の効果が得られる。
【００７５】
追加ウエイト２５および２５ａの搭載後には、後部の追加ウエイト２５ａから最前部に位置する固定ウエイト２４まで達するボルトを挿し込んで追加ウエイト２５を固定ウエイト２４に固定することができる。
【００７６】
図３に示すようにボルト挿入孔４１，４２は、追加ウエイト２５の搭載時に作業者の手の届く高さに形成され、ここにボルトを挿し込むことにより追加ウエイト２５の下部が固定される。
【００７７】
搭載した追加ウエイト２５および２５ａを取り外す場合は、上述した手順を逆に行えばよいので説明を省略する。
【００７８】
なお、本実施形態では最後部の追加ウエイト２５ａを２５と異なる形状にしたが、見栄えを良くするための化粧カバーを取り付けるようにしてもよく、外観上問題がなければ追加ウエイト２５ａを２５と同一の形状にすることができる。
【００７９】
また、本実施形態のリンク部材の係合孔２７ｂと貫通溝２７ａは、ワイヤロープ４３と上部ピン２６が絡まる虞があるので不連続に形成するのが望ましいが、連続に形成してもよい。
【符号の説明】
【００８０】
１      作業機械
２      下部走行体
３      上部旋回体
４      アッパーフレーム
５      作業アタッチメント
６      キャブ
８      カウンタウエイト装置
１４    カウンタウエイト取付部
１５    吊り具部材
２４    固定ウエイト
２５    追加ウエイト
２６    上部ピン
２６ｂ  上部ピンの抜止構造
２６ｃ  上部ピンの根本構造
２７    リンク部材
２７ａ  連続溝
２７ｂ  係合孔
２８    下部ピン
２８ａ  下部ピン挿入孔
２８ｂ  下部ピンの抜止構造
２９    最下部ピン
２９ａ  最下部ピン挿入孔
２９ｂ  最下部ピンの抜止構造
３０    固定ウエイトピン
３０ａ  固定ウエイトピン挿入孔
３０ｂ  固定ウエイトピンの抜止構造
３５    溝部
４１    ボルト挿入孔
４２    ボルト挿入孔
４３    ワイヤロープ
【図１】
2016108141.tif 000003
【図２】
2016108141.tif 000004
【図３】
2016108141.tif 000005
【図４】
2016108141.tif 000006
【図５】
2016108141.tif 000007
【図６】
2016108141.tif 000008
【図７】
2016108141.tif 000009
【図８】
2016108141.tif 000010
【図９】
2016108141.tif 000011
【図１０】
2016108141.tif 000012
【図１１】
2016108141.tif 000013